(57)【要約】【課題】遊戯機の前面で、遊戯者の喫煙よる煙・臭気および灰皿からの流煙が隣席に拡散するのを防止するとともに、それら煙等をを確実に目的の位置へ移動させるようにして、排煙機能を高め、さらに光触媒により消臭を行うことによって、遊戯施設内での煙草の煙などの臭いをなくす。【解決手段】パチンコ機２の灰皿３側のパチンコ機枠４にパチンコ機２の前面に張り出す流煙防止板５を設け、左右のパチンコ機２の遊戯者および灰皿３が発するタバコの煙の拡散を防止するとともに、流煙防止板５の表面に形成した光触媒層６によって煙の悪臭成分を分解・消臭し、また、パチンコ機２の灰皿３の上方に渦流式の排煙機７を設け、渦流式の排煙機７は、煙取入口１０から遊戯者および灰皿３が発するタバコの煙を取り入れ、渦流として煙排出口９から上方に向けて排出する。【選択図】図１
0003118184.tif 000002
【実用新案登録請求の範囲】
【請求項１】
複数のパチンコ機（２）を横方向に連続して配置するパチンコホールにおいて、パチンコ機（２）の灰皿（３）側のパチンコ機枠（４）にパチンコ機（２）の前面に張り出す流煙防止板（５）を設け、左右のパチンコ機（２）の遊戯者および灰皿（３）が発するタバコの煙の拡散を防止するとともに、流煙防止板（５）の表面に形成した光触媒層（６）によって煙の悪臭成分を分解・消臭し、
また、パチンコ機（２）の灰皿（３）の上方に渦流式の排煙機（７）を設け、渦流式の排煙機（７）は、モータ（８）によって駆動され上面の煙排出口（９）と下面の煙取入口（１０）との間に上向きに設けられるプロペラファン（１１）と、プロペラファン（１１）の上前面に配置される渦巻き状の多数のブレード（１２）とを有し、煙取入口（１０）から遊戯者および灰皿（３）が発するタバコの煙を取り入れ、渦流として煙排出口（９）から上方に向けて排出することを特徴とするパチンコ機の排煙装置（１）。
【請求項２】
複数のパチンコ機（２）を横方向に連続して配置するパチンコホールにおいて、パチンコ機（２）の灰皿（３）側のパチンコ機枠（４）にパチンコ機（２）の前面に張り出す流煙防止板（５）を設け、左右のパチンコ機（２）の遊戯者および灰皿（３）が発するタバコの煙の拡散を防止するとともに、流煙防止板（５）の表面に形成した光触媒層（６）によって煙の悪臭成分を分解・消臭し、
また、パチンコ機（２）の灰皿（３）の上方に渦流式の排煙機（７）を設け、渦流式の排煙機（７）は、駆動回路（１５）およびモータ（８）によって駆動され上面の煙排出口（９）と下面の煙取入口（１０）との間に上向きに設けられるプロペラファン（１１）と、プロペラファン（１１）の上前面に配置される渦巻き状の多数のブレード（１２）とを有し、
上記のモータ（８）の駆動回路（１５）はパチンコ機（２）の遊戯者に反応する人感センサー（１７）に応動する構成となっており、パチンコ機（２）に向き合う遊戯者に反応した人感センサー（１７）に応動してモータ（８）の駆動回路（１５）を起動させ、渦流式の排煙機（７）により、遊戯者および灰皿（３）が発するタバコの煙を煙取入口（１０）から取り入れ、渦流として煙排出口（９）から上方に向けて排出することを特徴とするパチンコ機の排煙装置（１）。
【考案の詳細な説明】
【技術分野】
【０００１】
本考案は、パチンコホールにおいて遊戯者の喫煙よる煙・臭気および灰皿からの流煙の拡散を防止し、かつそれらを強制的に上方に排出する装置に関する。
【背景技術】
【０００２】
特許文献１や特許文献２はいずれも遊戯者の喫煙による煙を強制的に排出する技術を開示している。煙は本来自由な空気流の中にあって拡散し、目的の位置へ移動しにくいため、上記の技術によっても充分な排煙は期待できない。
【特許文献１】特開平０８−１８９６７８号公報
【特許文献２】特開平０８−２６１５３０号公報
【考案の開示】
【考案が解決しようとする課題】
【０００３】
本考案の課題は、遊戯機の前面で、遊戯者の喫煙よる煙・臭気および灰皿からの流煙が隣席に拡散するのを防止するとともに、それら煙等を確実に目的の位置へ移動させるようにして、排煙機能を高め、さらに光触媒により消臭を行うことによって、遊戯施設内での煙草の煙などの臭いをなくすことである。
【課題を解決するための手段】
【０００４】
上記の課題のもとに、本考案は、複数のパチンコ機を横方向に連続して配置するパチンコホールにおいて、パチンコ機の灰皿側のパチンコ機枠にパチンコ機の前面に張り出す流煙防止板を設け、左右のパチンコ機の遊戯者および灰皿が発するタバコの煙の拡散を防止するとともに、流煙防止板の表面に形成した光触媒層によって煙の悪臭成分を分解・消臭し、また、パチンコ機の灰皿の上方に渦流式の排煙機を設け、渦流式の排煙機は、モータによって駆動され上面の煙排出口と下面の煙取入口との間に上向きに設けられるプロペラファンと、プロペラファンの上前面に配置される渦巻き状の多数のブレードとを有し、煙取入口から遊戯者および灰皿が発するタバコの煙を取り入れ、渦流として煙排出口から上方に向けて排出する（請求項１）。
【０００５】
また、上記のモータの駆動回路はパチンコ機の遊戯者に反応する人感センサーに応動する構成となっており、パチンコ機に向き合う遊戯者に反応した人感センサーに応動してモータの駆動回路を起動させ、渦流式の排煙機により、遊戯者および灰皿が発するタバコの煙を煙取入口から取り入れ、渦流として煙排出口から上方に向けて排出する（請求項２）。
【考案の効果】
【０００６】
請求項１によると、パチンコ機の灰皿側のパチンコ機枠に、パチンコ機の前面に張り出す流煙防止板を設けるから、遊戯者の喫煙による煙・臭気および灰皿からの流煙が隣席に拡散するのを防止できる。また、プロペラファンによって強力で指向性の強い竜巻状の空気の渦が発生するから、遊戯者の喫煙による煙・臭気および灰皿の流煙を煙取入口から取り入れるとともに、この竜巻状の空気の渦が煙を巻き込んで天井の吸気口などへ確実に送り込める。さらに、流煙防止板は、その表面に光触媒層を有しているので、光触媒により煙の悪臭成分を分解し、室内空気の消臭のほか、流煙防止板自体の防汚（セルフクリーニング）・抗菌機能も期待できる。
【０００７】
請求項２によると、請求項１の効果のほかに、遊戯機に向き合う遊戯者に反応して人感センサーが応動し、これによってモータの駆動回路を起動させるから、排煙の必要なときにのみ、その装置が自動的に動作する。
【考案を実施するための最良の形態】
【０００８】
図１および図２は、本考案に係るパチンコ機の排煙装置１を示している。パチンコ機の排煙装置１は、複数のパチンコ機２を横方向に連続して配置するパチンコホールにおいて用いられ、主要な部分として、流煙防止板５と、渦流式の排煙機７とからなる。
【０００９】
流煙防止板５は、パチンコ機２の灰皿３側のパチンコ機枠４に、パチンコ機２の前面に張り出すように設けられており、左右のパチンコ機２の遊戯者および灰皿３が発するタバコの煙の拡散を防止する。また、流煙防止板５の表面には、光触媒層６が形成されており、パチンコホール内の図示しない蛍光灯からの光を受けて、光触媒反応により煙や空気中の臭いを消すと同時に、空気中のごみや浮遊菌を除去する。なお、流煙防止板自体の防汚（セルフクリーニング）・抗菌機能も期待できる。流煙防止板５は、パチンコホールの防犯上、透明なアクリル板などで製作することが望ましい。このようにして、流煙防止板５は、２つのパチンコ機２の間に位置し、各パチンコ機２の前面空間を仕切っている。
【００１０】
図３は、渦流式の排煙機７の断面図である。排煙機７は、パチンコ機２の灰皿３の上方に設け、図示しない適当なブラケットなどによりパチンコ機枠４、または流煙防止板５に取り付けられている。排煙機７は、駆動回路１５およびモータ８によって駆動され上面の煙排出口９と下面の煙取入口１０との間に上向きに設けられるプロペラファン１１と、プロペラファン１１の上前面に配置される渦巻き状の多数のブレード１２とからなる。モータ８は、筒状のケーシング１３内にステー１８により取り付けられており、ケーシング１３は、下開口面で煙取入口１０を形成している。プロペラファン１１は、ケーシング１３の上部に取り付けられたダクト１４の内部に上向きに設けられ、多数のブレード１２は、プロペラファン１１に向き合い、ダクト１４の上開口面に形成される煙排出口９に全体として渦巻き状として設けられている。
【００１１】
図４はパチンコ機の排煙装置１の電気回路を示している。モータ８の駆動回路１５は、電源ユニット１６に接続されており、この電源ユニット１６はパチンコ機２の遊戯者に反応する人感センサー１７に応動し、パチンコ機２に向き合う遊戯者の存在時にのみ駆動回路１５に給電し、モータ８を動作させる。このため人感センサー１７は、例えば赤外線センサーであり、パチンコ機２の前面に取り付けられる。
【００１２】
喫煙者用の遊戯機２に遊戯者が向き合って遊戯を開始すると、人感センサー１７は、遊戯者に検出して、モータ８の駆動回路１５を起動させる。このため、排煙機７のプロペラファン１１は、煙取入口１０から喫煙による煙・臭気および灰皿３が発する煙を取り入れ、多数の渦巻き状のブレード１２により渦流として煙排出口９から上方に向けて排出する。排出された空気は、渦巻き状のため指向性の強い状態で拡散せず、天井の図示しない吸気口からそのほとんどが屋外に排出される。
【産業上の利用可能性】
【００１３】
本考案に係るパチンコ遊機の排煙装置１は、パチンコホールにおいてパチンコ機のほか、遊戯者と向き合う形式の各種の遊戯にも適用できる。
【図面の簡単な説明】
【００１４】
【図１】本考案に係るパチンコ機の排煙装置１の正面図である。
【図２】本考案に係るパチンコ機の排煙装置１の側面図である。
【図３】本考案に係るパチンコ機の排煙装置１の排煙機７の断面図である。
【図４】本考案に係るパチンコ機の排煙装置１の電気回路図である。
【符号の説明】
【００１５】
１  パチンコ機の排煙装置
２  パチンコ機
３  灰皿
４  パチンコ機枠
５  流煙防止板
６  光触媒層
７  排煙機
８  モータ
９  煙排出口
１０  煙取入口
１１  プロペラファン
１２  ブレード
１３  ケーシング
１４  ダクト
１５  駆動回路
１６  電源ユニット
１７  人感センサー
１８  ステー
【図１】
0003118184.tif 000003
【図２】
0003118184.tif 000004
【図３】
0003118184.tif 000005
【図４】
0003118184.tif 000006